(57)【要約】【課題】  槽内水面の浮遊物を槽一端に集めるための押寄装置を提供すること。【解決手段】  パドル回転軸１１ａ下部にパドル１３を取り付け、パドル回転軸１１ａ上部にパドル１３と１８０°の方向でクランク１２を取り付け、クランク１２と無段変速機１７をロッド１６により接続する。  無段変速機１７を回転させることによりクランク１２を揺動運動させ、パドル１３を揺動運動させることにより、水面に一方向の波を発生させることができる。【選択図】図１
2009018238.tif 000002
【特許請求の範囲】
【請求項１】
揺動運動する自動パドルを有した浮遊物押寄装置。
【発明の詳細な説明】
【技術分野】
【０００１】
本発明は、槽内の浮遊物押寄装置に関する。
【背景技術】
【０００２】
従来、水などが入った槽内で発生した浮遊物を除去する装置としては、図３のようなものが知られている（特許文献１参照）。この装置は、液面下所定位置に配設されるガイドホイール３２と、液面上方に配設される駆動ホイール３７間に所要幅を有し、浮遊物を掻き揚げるエンドレス帯状のスクリーン３３を、駆動自在に張架する。このスクリーン３３を、スクリーンの長手方向に所要間隔をあけて多数平行して配列する軸に大円板と小円板とを交互に貫通配設し、回転可能にして支持する。さらに大円板間の隙間に隣接する軸に設けた大円板を噛み合うようにして構成することで、槽内の水などの中から浮遊物の回収および除去を行うというものであった。
【特許文献１】実開平６−４１８８９号公報
【発明の開示】
【発明が解決しようとする課題】
【０００３】
しかしながら、上記従来技術には次のような問題点があった。
【０００４】
すなわち、広い槽の液面の一部分の浮遊物しか除去することができず、液面上全体に広がった浮遊物全てを除去することが不可能という問題点である。つまり特許文献１に記載の従来技術においては、槽における浮遊物除去装置の設置場所周辺のみしか浮遊物の除去ができず、槽の液面全体に浮遊物が広がった場合には、該除去装置が機能しないといった問題である。
【０００５】
そこで本発明が解決しようとする課題は、槽内の液面全体に広がった浮遊物の除去を容易にすることを可能とすることである。
【課題を解決するための手段】
【０００６】
本発明は、上記した従来技術の状況に鑑み、次のような手段を採用するものである。すなわち、揺動運動する自動パドルを有した浮遊物押寄装置、である。
【発明の効果】
【０００７】
本発明の浮遊物押寄装置によれば、該浮遊物押寄装置を水など溶液の入った槽の一端に設置して、該装置の自動パドルを揺動運動させることにより、装置を設置した側と反対側の槽の一端へ、浮遊物を押し寄せることが可能である。よって本発明の浮遊物押寄装置によれば、槽全体に広がった浮遊物を、１箇所に集めることが可能となり、結果として容易に浮遊物を除去することが可能となる
【発明を実施するための最良の形態】
【０００８】
本発明において、自動パドルとは、外部からの駆動により回転軸を中心として揺動運動をするパドルをいう。本発明は具体的には、無段変速機などの外部からの駆動によって、図１のパドル回転軸１１ａを動かすことで、パドル１３を図１のＥ−Ｆの方向へ揺動運動するものである。
【０００９】
本発明は、自動パドルが揺動運動することで、槽内の溶液に一方向に向かう波を発生させ、その発生した波によって浮遊物を槽の一端へ押寄せることが可能となる。
【００１０】
なお、本発明におけるパドルは、自動で動く自動パドルである。自動で揺動運動する自動パドルを用いることで、パドルの動きを一定の速度で安定化させたり、槽内の溶液の粘度に応じて速度を変更したりすることができるために好ましい。
【００１１】
自動パドルの駆動としては特に限定されないが、具体的には、無段変速機やシリンダーなどを用いることができる。特に自動パドルを円滑に駆動させるという点から無段変速機を用いることが好ましい。
【００１２】
自動パドルの材質は特に限定されないが、ステンレス・鉄などの金属やプラスチックなどを挙げることができる。そして槽内の溶液の性質に応じて、その溶液によって錆びたり溶けたりすることがない材質を適宜選択することが好ましい。なお、強度や腐食性の点からステンレスなどの金属を用いることがより好ましい。
【００１３】
自動パドルの形状は特に限定されず、槽の深さや槽の幅、浮遊物の種類などに応じて適宜選択することができ、この選択により揺動運動の結果発生する波の大きさなどを制御することができる。具体的には、四角形や円形・扇形などが挙げられる。好ましくは一様な波を発生させるという点で図１に記載した四角形の形状である。
【００１４】
同様に自動パドルのサイズも特に限定されず、槽の深さや槽の幅、浮遊物の種類などに応じて適宜選択することができ、この選択により揺動運動の結果発生する波の大きさなどを制御することができる。具体的には、槽の深さ方向の長さとしては、水面深さ以下であることが好ましい。
【００１５】
自動パドルの槽内における深さ方向の設置位置は特に限定されないが、本発明が自動パドルが揺動運動することで、槽内に波を発生させ、その波によって槽の液面の浮遊物を槽の一端へ押寄せることであるので、パドルは層の液面付近の深さ方向位置に設置されることが好ましい。
【００１６】
このことから、本発明の浮遊物押寄装置は、自動パドルの高さ（槽の深さ方向の位置）が変更可能な構造であることが好ましい。
【００１７】
また、本発明でいう浮遊物とは、槽内に混入した塵などの不要物質であれば特に限定されない。好ましくは、本発明の浮遊物押寄装置は、槽内の溶液が固化してできるスラッジを含んだ槽において用いられる。
【００１８】
本発明の押寄装置を設置する槽の中の溶液は特に限定されないが、水や高温水、またはアルカリ性水溶液などが用いられる。特に、高温水やアルカリ性水溶液の中に浮遊物が発生した場合、このような溶液中から浮遊物を除去するのは危険性が高いが、本発明の浮遊物押寄装置を用いれば、槽内の浮遊物を安全に槽の一端に押寄せることができ、容易に浮遊物を除去できるため、高温水やアルカリ性水溶液を溶液として用いた槽内に、本発明の浮遊物押寄装置を設置するのは本発明の好ましい態様の一つである。なお、本発明の押寄装置が槽内の溶液が固化してできたスラッジの押寄のために好ましく用いられることから、槽内の溶液としてはスラッジが発生する硝酸カルシウム水溶液の場合に、本発明の押寄装置は好ましく用いられる。
【００１９】
本発明の浮遊物押寄装置は、槽内の液面に一方向に向かう波を発生させることで、浮遊物を槽の一端に押寄せることができる。よって本発明の押寄装置と併用して、本発明の押寄装置槽による波によって浮遊物が押寄せられる側に、浮遊物の除去装置を設置することが好ましい。本発明の押寄装置を除去装置と併用することにより、本発明の押寄装置によって槽の一箇所に集められた浮遊物を容易に除去することができ、槽内の液全面から浮遊物を除去できるために好ましい。
【００２０】
以下本発明の一態様を、図１を参照して説明する。
【００２１】
図１は浮遊物押寄装置の斜視図であり、１１ａはパドル回転軸、１１ｂはパドル取付穴、１２はクランク、１３はパドル、１４は軸受、１５はベース、１６はロッド、１７は無段変速機を表す。
【００２２】
パドル回転軸１１ａに軸受１４を２個取り付け、ベース１５に固定する。次に、パドル回転軸１１ａの下部のパドル取付穴１１ｂがあり、適切な高さに合わせてパドル１３を取り付ける。また、パドル回転軸１１ａ上部にはクランク１２をパドル１３の１８０°方向に取り付け、ロッド１６を用いて無段変速機１７と接続する。
【００２３】
次に、浮遊物押寄装置１０の動作を説明する。無段変速機１７を矢印Ｇ方向に回転させ、ロッド１６を介してクランク１２を矢印ＣＤ方向に揺動運動させることにより、パドル１３を矢印ＥＦ方向に揺動運動させる。クランク１２が矢印Ｃ方向へ動くときはパドル１３は矢印Ｅ方向へ動き、逆にクランク１２が矢印Ｄ方向へ動くときはパドル１３は矢印Ｆ方向へ動く。
【実施例】
【００２４】
図１の浮遊物押寄装置を図２のように硝酸カルシウム水溶液槽の一端に設置した。
【００２５】
自動パドルを駆動させたところ、水面に矢印Ｈ方向の一方向に波を発生させることができた。
【００２６】
そして槽内に発生していた全ての固形浮遊物（スラッジ）を図２の矢印Ｈ方向へ押寄せることができた。
【産業上の利用可能性】
【００２７】
本発明の装置は、槽内の浮遊物押寄のみならず、魚の水槽の水面汚れ除去などにも応用することができるが、その応用範囲がこれらに限定されるものではない。
【図面の簡単な説明】
【００２８】
【図１】本発明の浮遊物押寄装置の斜視図である。
【図２】本発明の浮遊物押寄装置の実施例の斜視図である。
【図３】従来の浮遊物除去装置である。
【符号の説明】
【００２９】
１０  ：浮遊物押寄装置
１１ａ：パドル回転軸
１１ｂ：パドル取付穴
１２  ：クランク
１３  ：パドル
１４  ：軸受
１５  ：ベース
１６  ：ロッド
１７  ：無段変速機
２１  ：無段変速機ベース
２２  ：槽
２３  ：槽内の溶液
３１  ：フロート
３２  ：ガイドホイール
３３  ：スクリーン面
３４  ：ガイド板
３５  ：ノズル
３６  ：網カゴ
３７  ：ホイール
【図１】
2009018238.tif 000003
【図２】
2009018238.tif 000004
【図３】
2009018238.tif 000005